(57)【要約】【課題】ユーザが光ディスクを再生して視聴している場合において、再生動作を継続したままその視聴場所から一時的に離れ、再び戻ってきたときに、離れる直前に再生していた位置に戻って再生動作を再開するのか、そのまま再生動作を継続するのかを容易に選択可能とする。【解決手段】システムコントローラ１０は、光ディスク１の再生動作中にリモコン１８のテンポラリサーチバックキー１８ａが操作されると、再生動作を継続しつつ、その操作時点での再生位置情報をＥＥＰＲＯＭ１１に記憶させ、その後の再生動作中にテンポラリサーチバックキー１８ａが再度操作されると、ＥＥＰＲＯＭ１１に記憶されている再生位置に戻って、再生動作を再開する。【選択図】  図１
2004171641.tif 000002
【特許請求の範囲】
【請求項１】
光ディスクの再生動作中に操作されるキー入力手段と、
前記キー入力手段の操作により、その操作時点での再生位置情報とその再生位置における静止画情報とを記憶する再生位置・静止画情報記憶手段と、
所定時間を再生内容のジャンル別に予め記憶している所定時間記憶手段と、
再生内容のジャンルを表示する表示手段と、
前記表示手段に表示されたジャンルから任意のジャンルを選択する選択手段と、
これら各手段を統括的に制御して再生動作を制御する再生制御手段とを備え、前記再生制御手段は、再生動作の開始前に前記選択手段により選択されたジャンルに対応する所定時間を前記所定時間記憶手段から読み出して内部に設定する一方、光ディスクの再生動作中に前記キー入力手段が操作されると、再生動作を継続しつつ、その操作時点での再生位置情報とその再生位置における静止画情報とを前記再生位置・静止画情報記憶手段に記憶させるとともに、その後、内部に設定された所定時間が経過するたびにその時点での再生位置情報とその再生位置における静止画情報とを順次取得して前記再生位置・静止画情報記憶手段に順次記憶させ、このような再生動作中に前記キー入力手段が再度操作されると、前記再生位置・静止画情報記憶手段に記憶されている全ての静止画情報を前記表示手段に表示し、前記選択手段により表示された静止画情報の中から任意の静止画情報が選択されると、その選択された静止画情報に対応する再生位置情報を前記再生位置・静止画情報記憶手段から取得し、その取得した再生位置に戻って通常再生を開始することを特徴とするディスク再生装置。
【請求項２】
光ディスクの再生動作中に操作されるキー入力手段と、
前記キー入力手段の操作により、その操作時点での再生位置情報を記憶する再生位置情報記憶手段と、
光ディスクの再生動作中に前記キー入力手段が操作されると、再生動作を継続しつつ、その操作時点での再生位置情報を前記再生位置情報記憶手段に記憶させ、その後の再生動作中に前記キー入力手段が再度操作されると、前記再生位置情報記憶手段に記憶されている再生位置に戻って、再生を開始する再生制御手段とを備えたことを特徴とするディスク再生装置。
【請求項３】
光ディスクの再生動作中に操作されるキー入力手段と、
前記キー入力手段の操作により、その操作時点での再生位置情報を記憶する再生位置情報記憶手段と、
光ディスクの再生動作中に前記キー入力手段が操作されると、再生動作を継続しつつ、その操作時点での再生位置情報を前記再生位置情報記憶手段に記憶させるとともに、その後、所定時間が経過するたびにその時点での再生位置情報を順次取得して前記再生位置情報記憶手段に順次記憶させ、このような再生動作中に前記キー入力手段が再度操作されると、前記再生位置情報記憶手段に記憶されている再生位置情報に基づき、最初に取得された再生位置から順番に、各再生位置において一定時間だけ順次再生を行い、その再生途中で前記キー入力手段が再度操作されると、その１つ前の再生位置に戻って通常再生を開始する再生制御手段とを備えたことを特徴とするディスク再生装置。
【請求項４】
光ディスクの再生動作中に操作されるキー入力手段と、
前記キー入力手段の操作により、その操作時点での再生位置情報とその再生位置における静止画情報とを記憶する再生位置・静止画情報記憶手段と、
光ディスクの再生動作中に前記キー入力手段が操作されると、再生動作を継続しつつ、その操作時点での再生位置情報とその再生位置における静止画情報とを前記再生位置・静止画情報記憶手段に記憶させるとともに、その後、所定時間が経過するたびにその時点での再生位置情報とその再生位置における静止画情報とを順次取得して前記再生位置・静止画情報記憶手段に順次記憶させ、このような再生動作中に前記キー入力手段が再度操作されると、前記再生位置・静止画情報記憶手段に記憶されている全ての静止画情報を接続されている表示装置の画面に表示し、表示された静止画情報の中から任意の静止画情報が選択されると、その選択された静止画情報に対応する再生位置情報を前記再生位置・静止画情報記憶手段から取得し、その取得した再生位置に戻って通常再生を開始する再生制御手段とを備えたことを特徴とするディスク再生装置。
【請求項５】
前記所定時間をユーザが任意に設定する設定手段をさらに備え、
前記再生制御手段は、再生動作の開始前に前記設定手段により任意に設定された所定時間を内部に設定し、この設定した所定時間に基づいて前記再生位置情報の取得を行うことを特徴とする請求項３または請求項４に記載のディスク再生装置。
【請求項６】
前記所定時間を再生内容のジャンル別に予め記憶している所定時間記憶手段と、
再生内容のジャンルを表示する表示手段と、
前記表示手段に表示されたジャンルから任意のジャンルを選択する選択手段とをさらに備え、
前記再生制御手段は、再生動作の開始前に前記選択手段により選択されたジャンルに対応する所定時間を前記所定時間記憶手段から読み出して内部に設定し、この設定した所定時間に基づいて前記再生位置情報の取得を行うことを特徴とする請求項３に記載のディスク再生装置。
【請求項７】
光ディスクの再生動作中にキー入力手段が操作されると、再生動作を継続しつつ、その操作時点での再生位置情報を再生位置情報記憶手段に記憶させる段階と、
その後、所定時間が経過するたびにその時点での再生位置情報を順次取得して前記再生位置情報記憶手段に順次記憶させる段階と、
このような再生動作中に前記キー入力手段が再度操作されると、前記再生位置情報記憶手段に記憶されている再生位置情報に基づき、最初に取得された再生位置から順番に、各再生位置において一定時間だけ順次再生を行う段階と、
その再生途中で前記キー入力手段が再度操作されると、その１つ前の再生位置に戻って通常再生を開始する段階とを備えたことを特徴とするディスク再生方法。
【請求項８】
光ディスクの再生動作中にキー入力手段が操作されると、再生動作を継続しつつ、その操作時点での再生位置情報とその再生位置における静止画情報とを再生位置・静止画情報記憶手段に記憶させる段階と、
その後、所定時間が経過するたびにその時点での再生位置情報とその再生位置における静止画情報とを順次取得して前記再生位置・静止画情報記憶手段に順次記憶させる段階と、
このような再生動作中に前記キー入力手段が再度操作されると、前記再生位置・静止画情報記憶手段に記憶されている全ての静止画情報を接続されている表示装置の画面に表示する段階と、
表示された静止画情報の中から任意の静止画情報が選択されると、その選択された静止画情報に対応する再生位置情報を前記再生位置・静止画情報記憶手段から取得する段階と、
その取得した再生位置に戻って通常再生を開始する段階とを備えたことを特徴とするディスク再生方法。
【発明の詳細な説明】
【０００１】
【発明の属する技術分野】
本発明は、ＤＶＤビデオ等の光ディスクから映像データを再生するディスク再生装置及びディスク再生方法に関する。
【０００２】
【従来の技術】
映像等が記録されている光ディスクを再生中に、ユーザが視聴場所から一時的に離れる場合、通常は、ディスク再生装置に設けられている停止キーを操作して一度再生動作を中断し、戻ってきたときに、再生キーを操作して再びその位置から再生動作を開始する。または、ポーズキーを操作して画面を静止画像に固定し、戻ってきたときに、ポーズキーを再び操作してその位置から再生動作を再開する。
【０００３】
この場合、再生の一時停止期間中に主電源をオフしても、再生動作開始時には再生動作一時停止の直後から正確に再生を開始できる装置が提案されている（例えば、特許文献１参照）。また、再生動作を停止したときに、その時点で装填されている光ディスクの停止位置特定データを格納しておき、再生時にこの停止位置特定データを含む選択メニューを表示し、その選択メニューから所望する停止位置特定データを選択することで、その停止位置からの再生を行う装置も提案されている（例えば、特許文献２参照）。
【０００４】
【特許文献１】
特開昭６０−１５８５８号公報
【特許文献２】
特開２０００−３１１４２０号公報
【０００５】
【発明が解決しようとする課題】
上記従来技術は、いずれも再生動作を完全に停止するか一時停止している。
しかし、再生動作を完全に停止した場合には、光ピックアップが一旦初期位置まで戻ることから、この状態から再生動作を開始すると、実際に再生が開始されるまでに時間がかかるといった問題があった。
【０００６】
また、ポーズキーによって再生動作を一時停止している場合には、光ピックアップによって光ディスクの同じ位置を再生し続けることになるため、照射光が光ディスクの１個所に集中し、光ディスクの劣化につながるといった問題がある。そのため、従来のディスク再生装置では、ポーズキーが操作されて一時停止状態になってから一定時間（例えば、１０分等）が経過すると、一時停止状態を自動的に解除して、完全に停止状態に移行するようになっている。そのため、この場合には、上記と同様に、再び再生動作を開始しても、実際に再生が開始されるまでに時間がかかるといった問題があった。
【０００７】
ところで、ユーザにとっては、視聴場所から一時的に離れなければならない事情が生じた場合でも、視聴している内容によっては、必ずしも再生動作を停止したり、一時停止にする必要のない場合もある。例えば、スポーツ中継等で試合の状況に大きな変化が起こらなかった場合には、視聴場所を離れる前と戻ってきたときとで、視聴内容に大きな変化がないため、ユーザが視聴場所を離れている間に再生動作が継続していても特に問題とはならず、ユーザはそのまま継続して視聴することになる。
【０００８】
一方、ユーザが戻ってきたときに、ゲームの内容に変化があった場合、例えば、サッカーでは、視聴場所を離れる前に１対０であったのに、戻ってきたときには１対１になっていたというような場合には、肝心の得点シーンが過ぎてしまっていることになるため、このような場合には、視聴場所を離れる直前まで速やかに戻って再生を再開させる必要がある。
【０００９】
また、離れていた時間が例えば１５分と長かった場合に、そのまま１５分前まで戻って再生を再開しても、得点シーンが戻る直前であった場合には、再生を再開してから１４分間ぐらいは、何の変化もないゲームを見続けなければならないことになる。スポーツ録画の場合、すてに終了しているゲーム、すなわち結果の分かっているゲームを見ることになるため、得点シーンのところを中心に視聴したいと考えるユーザも多い。そのため、そのような得点シーンをより早く見つけ出して、そこから視聴が再開できれば便利である。
【００１０】
本発明はかかる問題点を解決すべく創案されたもので、その目的は、ユーザが光ディスクを再生して視聴している場合において、再生動作を継続したままその視聴場所から一時的に離れ、再び戻ってきたときに、離れる直前に再生していた位置に戻って再生動作を再開するのか、そのまま再生動作を継続するのかを容易に選択可能としたディスク再生装置及びディスク再生方法を提供することにある。また、他の目的は、スポーツ中継の録画のように、離れる直前の再生内容と戻ってきた直後の再生内容とに変化があった場合に、その変化のあった位置をより早く探し出して、その位置から再生できるようにしたディスク再生装置及びディスク再生方法を提供することにある。
【００１１】
【課題を解決するための手段】
本発明のディスク再生装置は、光ディスクの再生動作中に操作されるキー入力手段と、前記キー入力手段の操作により、その操作時点での再生位置情報を記憶する再生位置情報記憶手段と、光ディスクの再生動作中に前記キー入力手段が操作されると、再生動作を継続しつつ、その操作時点での再生位置情報を前記再生位置情報記憶手段に記憶させ、その後の再生動作中に前記キー入力手段が再度操作されると、前記再生位置情報記憶手段に記憶されている再生位置に戻って、再生を開始する再生制御手段とを備えたことを特徴としている。
【００１２】
すなわち、ユーザは、例えばスポーツ中継の録画を再生中に、一時的にその視聴場所を離れなければならない状況になった場合（例えば、トイレに行くとか、電話がかかってきてそれに対応しなければならないといった状況になった場合）には、キー入力手段（例えば、リモコンに設けられたテンポラリサーチバックキー）を操作する。
【００１３】
これにより、再生制御手段は、再生動作を停止することなく継続しつつ、その操作時点での再生位置情報を再生位置情報記憶手段に記憶させる。その後、所要を済ませて視聴場所に戻ってきたユーザが、再生動作中の内容を確認した結果、再生内容が離れる前の状況から変わっている場合（具体的には、得点が入っている場合等）には、その時点でキー入力手段を再び操作する。再生制御手段は、このキー入力手段の操作を受けて、再生位置情報記憶手段に記憶されている再生位置に戻って、直ちに再生動作を再開する。
【００１４】
これにより、ユーザは、簡単なキー操作で、視聴場所から離れている間に見逃した得点シーンを確実に視聴することができる。また、再生動作中の内容を確認した結果、再生内容が離れる前の状況から変わっていなかった場合（具体的には、得点が入っていなかった場合等）には、キー入力手段を操作することなく、そのまま視聴を継続すればよい。
【００１５】
この場合、再生制御手段は、光ディスクの再生動作中に前記キー入力手段が操作されると、再生動作を継続しつつ、その操作時点での再生位置情報を前記再生位置情報記憶手段に記憶させるとともに、その後、所定時間が経過するたびにその時点での再生位置情報を順次取得して前記再生位置情報記憶手段に順次記憶させるように構成してもよい。そして、このような再生動作中に前記キー入力手段が再度操作されると、前記再生位置情報記憶手段に記憶されている再生位置情報に基づき、最初に取得された再生位置から順番に、各再生位置において一定時間だけ順次再生を行うように構成すればよい。
【００１６】
このように、ユーザが視聴場所に戻ってきたとき、離れる直前の再生位置に単に戻すだけでなく、その戻した再生位置から順に、所定時間経過した時点の再生位置の情報を一定時間だけ順次再生していくことにより、ユーザはその再生画面を見ながら、戻したい位置を決定することができる。例えば、スポーツ中継の録画再生であれば、所定時間ごとの再生画面を見ながら得点シーンを見つけ出し、その得点シーンの直前まで戻して再生を再開させることができる。
【００１７】
すなわち、所定時間ごとの再生画面のうち、所望の再生画面の再生途中でキー入力手段を再度操作することにより、その１つ前の再生位置に戻って再生を再開させることができる。
【００１８】
また、本発明のディスク再生装置は、光ディスクの再生動作中に操作されるキー入力手段と、前記キー入力手段の操作により、その操作時点での再生位置情報とその再生位置における静止画情報とを記憶する再生位置・静止画情報記憶手段と、光ディスクの再生動作中に前記キー入力手段が操作されると、再生動作を継続しつつ、その操作時点での再生位置情報とその再生位置における静止画情報とを前記再生位置・静止画情報記憶手段に記憶させるとともに、その後、所定時間が経過するたびにその時点での再生位置情報とその再生位置における静止画情報とを順次取得して前記再生位置・静止画情報記憶手段に順次記憶させ、このような再生動作中に前記キー入力手段が再度操作されると、前記再生位置・静止画情報記憶手段に記憶されている全ての静止画情報を接続されている表示装置の画面に表示し、表示された静止画情報の中から任意の静止画情報が選択されると、その選択された静止画情報に対応する再生位置情報を前記再生位置・静止画情報記憶手段から取得し、その取得した再生位置に戻って通常再生を開始する再生制御手段とを備えたことを特徴としている。
【００１９】
すなわち、ユーザは、例えばスポーツ中継の録画を再生中に、一時的にその視聴場所を離れなければならない状況になった場合には、キー入力手段を操作する。
【００２０】
これにより、再生制御手段は、再生動作を停止することなく継続しつつ、その操作時点での再生位置情報とその再生位置における静止画情報とを再生位置・静止画情報記憶手段に記憶させる。その後、所要を済ませて視聴場所に戻ってきたユーザが、再生動作中の内容を確認した結果、再生内容が離れる前の状況から変わっている場合（具体的には、得点が入っている場合等）には、その時点でキー入力手段を再び操作する。
【００２１】
再生制御手段は、このキー入力手段の操作を受けて、再生位置・静止画情報記憶手段に記憶されている全ての静止画情報を、接続されている表示装置の画面に表示する。そして、ユーザが、表示された静止画情報の中から任意の静止画情報を選択すると、その選択した静止画情報に対応する再生位置情報を再生位置・静止画情報記憶手段から取得し、その取得した再生位置に戻って通常再生を開始する。
【００２２】
このように、ユーザが視聴場所に戻ってきたとき、離れる直前の再生位置に単に戻すだけでなく、離れている間に所定時間間隔で取得した全ての静止画情報を表示することにより、ユーザはその静止画情報を見ながら、戻したい位置を決定することができる。例えば、スポーツ中継の録画再生であれば、全静止画情報を見ながら、表示されている得点が変化している静止画情報を見つけ出し、その静止画情報の再生位置の１つ前の再生位置まで戻して再生を再開させることができる。
【００２３】
この場合、前記所定時間をユーザが任意に設定できる設定手段をさらに備えていてもよい。所定時間は、例えばデフォルト値として５分が設定されている場合に、再生している内容がドラマ等であった場合には、所定時間を例えば１分に変更しておけばよい。これにより、視聴場所を離れている間のストーリーの変化がより細かく確認し易くなり、戻したい再生位置がより探しやすくなる。
【００２４】
また、前記所定時間を再生内容のジャンル別に予め記憶している所定時間記憶手段と、再生内容のジャンルを表示する表示手段と、前記表示手段に表示されたジャンルから任意のジャンルを選択する選択手段とをさらに備え、前記再生制御手段は、再生動作の開始前に前記選択手段により選択されたジャンルに対応する所定時間を前記所定時間記憶手段から読み出して内部に設定し、この設定した所定時間に基づいて前記再生位置情報の取得を行うように構成してもよい。これにより、ユーザは、いちいち所定時間を設定しなくても、再生する情報のジャンルを選択するだけで、そのジャンルに合った所定時間を自動的に設定することができる。
【００２５】
また、本発明のディスク再生方法は、光ディスクの再生動作中にキー入力手段が操作されると、再生動作を継続しつつ、その操作時点での再生位置情報を再生位置情報記憶手段に記憶させる段階と、その後、所定時間が経過するたびにその時点での再生位置情報を順次取得して前記再生位置情報記憶手段に順次記憶させる段階と、このような再生動作中に前記キー入力手段が再度操作されると、前記再生位置情報記憶手段に記憶されている再生位置情報に基づき、最初に取得された再生位置から順番に、各再生位置において一定時間だけ順次再生を行う段階と、その再生途中で前記キー入力手段が再度操作されると、その１つ前の再生位置に戻って通常再生を開始する段階とを備えたことを特徴としている。
【００２６】
また、本発明の他のディスク再生方法は、光ディスクの再生動作中にキー入力手段が操作されると、再生動作を継続しつつ、その操作時点での再生位置情報とその再生位置における静止画情報とを再生位置・静止画情報記憶手段に記憶させる段階と、その後、所定時間が経過するたびにその時点での再生位置情報とその再生位置における静止画情報とを順次取得して前記再生位置・静止画情報記憶手段に順次記憶させる段階と、このような再生動作中に前記キー入力手段が再度操作されると、前記再生位置・静止画情報記憶手段に記憶されている全ての静止画情報を接続されている表示装置の画面に表示する段階と、表示された静止画情報の中から任意の静止画情報が選択されると、その選択された静止画情報に対応する再生位置情報を前記再生位置・静止画情報記憶手段から取得する段階と、その取得した再生位置に戻って通常再生を開始する段階とを備えたことを特徴としている。
【００２７】
【発明の実施の形態】
以下、本発明の実施の形態について、図面を参照して説明する。
図１は、本発明のディスク再生装置のシステム構成を示している。
【００２８】
装填された光ディスク１からデータを読み取る光ピックアップ３の出力は、ＲＦアンプ５を介してディジタル信号処理回路７に接続されており、ディジタル信号処理回路７の出力は、光ピックアップ３によるデータの読み取り時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらディジタル信号処理回路７及びサーボ処理回路９は、装置全体の動作制御を行うシステムコントローラ１０と双方向に接続されている。
【００２９】
また、ディジタル信号処理回路７には、再生動作時に光ディスク１から実際に読み取ったデータを一時的に蓄積するバッファとしてのＤＲＡＭ６が双方向に接続されているとともに、ディジタルデータをアナログデータに変換してＣＲＴ等の表示装置２１に出力するＤ／Ａ変換回路１２が接続されている。
【００３０】
また、システムコントローラ１０には、光ディスク１のパラメータやレーザパワーのパラメータ等の固有情報を記憶しておくためのＥＥＰＲＯＭ１１が双方向に接続されるとともに、本発明に係わる所定時間をカウントするタイマー回路１３が接続されている。さらに、システムコントローラ１０には、リモコン１８からの赤外線信号を受信する受信部１４が接続されており、リモコン１８には、後述するテンポラリサーチバックキー１８ａが設けられている。
【００３１】
ディジタル信号処理回路７は、ＥＦＭ復調や、ＡＣＩＲＣ（Ａｄｖａｎｃｅｄ  Ｃｒｏｓｓ  Ｉｎｔｅｒｌｅａｖｅｄ  Ｒｅｅｄ−Ｓｏｌｏｍｏｎ  Ｃｏｄｅ）による誤り訂正方式に従って、１６ビットの信号を８ビットづつに区切り、その８ビットを１４ビットに変換するといった処理等を行う。また、ディジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して表示装置２１に出力する。
【００３２】
ＥＥＰＲＯＭ１１には、上記固有情報が記憶される他に、テンポラリサーチバックキー１８ａが操作された場合に、その操作時点での光ディスク１の再生位置情報やその再生位置における静止画情報が記憶されるとともに、後述する各種所定時間の情報が記憶されるようになっている。
【００３３】
上記構成において、光ディスク１の再生動作は、一般的に次のように行われる。すなわち、システムコントローラ１０は、光ピックアップ３により光ディスク１のリードインエリアに記録されているＴＯＣ情報をまず読み取り、これをＤＲＡＭ６に格納した後、読み取り要求のあったデータの先頭アドレスに光ピックアップ３を移動し、その先頭アドレスからデータを読み取るようになっている。
【００３４】
システムコントローラ１０は、光ディスク１の再生中において、テンポラリサーチバックキー１８ａが操作されると、再生動作を停止することなくそのまま継続しつつ、その操作時点での再生位置情報をＥＥＰＲＯＭ１１に記憶させる。その後、再びテンポラリサーチバックキー１８ａが操作されると、このキー入力操作を受けて、ＥＥＰＲＯＭ１１に記憶されている再生位置に戻って、直ちに再生動作を再開するといったテンポラリサーチバック動作を実行する。
【００３５】
次に、上記構成のディスク再生装置において、テンポラリサーチバック動作の各種実施例について説明する。
【００３６】
［実施例１］
本実施例１のテンポラリサーチバック動作について、図２に示すフローチャートを参照して説明する。
【００３７】
再生動作中、システムコントローラ１０は、テンポラリサーチバックキー１８ａが操作されたか否かを常に監視している（ステップＳ１）。
この状態において、光ディスク１に記録された例えばスポーツ中継の録画内容を再生中に、ユーザが、一時的にその視聴場所を離れなければならない状況になった場合（例えば、トイレに行くとか、電話がかかってきてそれに対応しなければならないといった状況になった場合）には、リモコン１８のテンポラリサーチバックキー１８ａを操作する。
【００３８】
受信部１４を介してこの操作信号を受け取ったシステムコントローラ１０は、再生動作を停止することなくそのまま継続するとともに、その操作時点での再生位置情報（例えば、再生開始位置のアドレス「ａａａａａａ」）をＥＥＰＲＯＭ１１に記憶させる（ステップＳ２）。
その後、システムコントローラ１０は、再びテンポラリサーチバックキー１８ａが操作されたか否かを監視する（ステップＳ３）。
【００３９】
ここで、所要を済ませて視聴場所に戻ってきたユーザが、表示装置２１に表示されている再生動作中の内容を確認した結果、再生内容が離れる前の状況から変わっている場合（具体的には、得点が入っている場合等）には、その時点でテンポラリサーチバックキー１８ａを再び操作する。
【００４０】
システムコントローラ１０は、このキー入力操作信号を受け取ると（ステップＳ３でＹｅｓと判断されるので）、ＥＥＰＲＯＭ１１に記憶されている再生位置に基づき、視聴場所を離れる直前の再生位置に戻って、直ちに再生動作を再開する（ステップＳ４）。このように、ユーザは、簡単なキー操作で、視聴場所から離れている間に見逃した得点シーンを確実に視聴することができる。
【００４１】
また、再生動作中の内容を確認した結果、再生内容が離れる前の状況から変わっていなかった場合（具体的には、得点が入っていなかった場合等）には、テンポラリサーチバックキー１８ａを操作することなく、そのまま視聴を継続すればよい。
【００４２】
この後、ユーザが、例えばリモコン１８の図示しない停止キーを操作して、再生動作を終了すると（ステップＳ５、ステップＳ６でＹｅｓと判断されると）、システムコントローラ１０は、ＥＥＰＲＯＭ１１に記憶していた再生位置情報を消去して（ステップＳ７）、再生動作を終了する。
【００４３】
［実施例２］
本実施例２のテンポラリサーチバック動作について、図３に示すＥＥＰＲＯＭ１１のメモリ構成、及び図４に示すフローチャートを参照して説明する。
【００４４】
本実施例２では、テンポラリサーチバックキー１８ａが操作された後、所定時間が経過するたびにその時点での再生位置情報をＥＥＰＲＯＭ１１に記憶し、次にテンポラリサーチバックキー１８ａが操作されると、その記憶されている再生位置情報に基づき、最初に取得した再生位置から順番に、各再生位置において一定時間だけ順次再生を行う構成となっている。
【００４５】
すなわち、再生動作中、システムコントローラ１０は、テンポラリサーチバックキー１８ａが操作されたか否かを常に監視している（ステップＳ１１）。
この状態において、光ディスク１に記録された例えばスポーツ中継の録画内容を再生中に、ユーザが、一時的にその視聴場所を離れなければならない状況になった場合（例えば、トイレに行くとか、電話がかかってきてそれに対応しなければならないといった状況になった場合）には、リモコン１８のテンポラリサーチバックキー１８ａを操作する。
【００４６】
受信部１４を介してこの操作信号を受け取ったシステムコントローラ１０は、再生動作を停止することなくそのまま継続するとともに、その操作時点での再生位置情報（例えば、再生開始位置のアドレス「ａａａａａａ」）をＥＥＰＲＯＭ１１に記憶させる（ステップＳ１２）。
【００４７】
次に、システムコントローラ１０は、タイマー回路１３を起動させて、予め設定されている所定時間（例えば、５分等）の計測を開始する（ステップＳ１３）。そして、再びテンポラリサーチバックキー１８ａが操作されたか否かを監視するとともに（ステップＳ１４）、タイマー回路１３により所定時間が計測されたか否かを監視する（ステップＳ１５）。
【００４８】
そして、テンポラリサーチバックキー１８ａが操作されることなく、所定時間が経過するたびに（ステップＳ１４でＮｏ、ステップＳ１５でＹｅｓと判断）、その時点での再生位置情報を順次取得して、ＥＥＰＲＯＭ１１に順次記憶させる（ステップＳ１６）。
【００４９】
図３は、このようにしてＥＥＰＲＯＭ１１に記憶された再生位置情報（再生位置アドレス）の状態を示している。再生位置アドレスは、テンポラリサーチバックキー１８ａが操作された時点で最初に取得された再生位置アドレス（「ａａａａａａ」）を先頭にして、取得順に例えば「ｂｂｂｂｂｂ」、「ｃｃｃｃｃｃ」、・・・といった具合に記憶されている。
【００５０】
そして、このように所定時間ごとに再生位置情報を順次取得している再生動作中において、所要を済ませて視聴場所に戻ってきたユーザが、表示装置２１に表示されている再生動作中の内容を確認した結果、再生内容が離れる前の状況から変わっている場合（具体的には、得点が入っている場合等）には、その時点でテンポラリサーチバックキー１８ａを再び操作する（ステップＳ１４でＹｅｓと判断される）。
【００５１】
システムコントローラ１０は、このキー入力操作信号を受け取ると、ＥＥＰＲＯＭ１１に記憶されている再生位置情報に基づき、最初に取得された再生位置アドレス「ａａａａａａ」から順番に、各再生位置において一定時間（例えば、５秒等）だけ順次再生を行う（ステップＳ１７）。これにより、ユーザは、順次再生される画面を見ながら、戻したい位置を決定することができる。
【００５２】
例えば、スポーツ中継の録画再生であれば、所定時間ごとの再生画面を見ながら得点シーンを見つけ出すことができる。そして、見たいシーンを見つけ出したユーザは、そのシーンが再生されているときに、再びテンポラリサーチバックキー１８ａを操作する。
【００５３】
これにより、システムコントローラ１０は、このキー入力操作信号を受け取ると（ステップＳ１８でＹｅｓと判断されると）、その時点での再生画面の１つ前の再生位置に戻って、直ちに再生動作を再開する（ステップＳ１９）。
【００５４】
このように、ユーザは、簡単なキー操作で、視聴場所から離れている間に見逃した全シーンのうち、本当に見たいシーン（得点シーン）部分を確実に視聴することができる。
【００５５】
また、視聴場所に戻ってきたユーザが再生動作中の内容を確認した結果、再生内容が離れる前の状況から変わっていなかった場合（具体的には、得点が入っていなかった場合等）には、テンポラリサーチバックキー１８ａを操作することなく、そのまま視聴を継続すればよい。
【００５６】
この後、ユーザが、例えばリモコン１８の図示しない停止キーを操作して、再生動作を終了すると（ステップＳ２０、ステップＳ２１でＹｅｓと判断されると）、システムコントローラ１０は、ＥＥＰＲＯＭ１１に記憶していた再生位置情報を全て消去して（ステップＳ２２）、再生動作を終了する。
【００５７】
［実施例３］
本実施例３のテンポラリサーチバック動作について、図５に示すＥＥＰＲＯＭ１１のメモリ構成図、及び図６に示すフローチャートを参照して説明する。
【００５８】
本実施例３では、テンポラリサーチバックキー１８ａが操作された後、所定時間が経過するたびにその時点での再生位置情報とその再生位置に対応した静止画情報とをＥＥＰＲＯＭ１１に記憶し、次にテンポラリサーチバックキー１８ａが操作されると、記憶されている全静止画情報を例えば一覧形式で表示装置２１の画面に表示、その中から任意の静止画情報を選択することで、その選択された静止画情報に対応した再生位置から再生動作を再開する構成となっている。
【００５９】
すなわち、再生動作中、システムコントローラ１０は、テンポラリサーチバックキー１８ａが操作されたか否かを常に監視している（ステップＳ３１）。
この状態において、光ディスク１に記録された例えばスポーツ中継の録画内容を再生中に、ユーザが、一時的にその視聴場所を離れなければならない状況になった場合（例えば、トイレに行くとか、電話がかかってきてそれに対応しなければならないといった状況になった場合）には、リモコン１８のテンポラリサーチバックキー１８ａを操作する。
【００６０】
受信部１４を介してこの操作信号を受け取ったシステムコントローラ１０は、再生動作を停止することなくそのまま継続するとともに、その操作時点での再生位置情報（例えば、再生開始位置のアドレス「ａａａａａａ」）と、その再生位置に対応した静止画情報ａとを対応付けてＥＥＰＲＯＭ１１に記憶させる（ステップＳ３２）。
【００６１】
次に、システムコントローラ１０は、タイマー回路１３を起動させて、予め設定されている所定時間（例えば、５分等）の計測を開始する（ステップＳ３３）。そして、再びテンポラリサーチバックキー１８ａが操作されたか否かを監視するとともに（ステップＳ３４）、タイマー回路１３により所定時間が計測されたか否かを監視する（ステップＳ３５）。
【００６２】
そして、テンポラリサーチバックキー１８ａが操作されることなく、所定時間が経過するたびに（ステップＳ３４でＮｏ、ステップＳ３５でＹｅｓと判断）、その時点での再生位置情報とその再生位置に対応した静止画情報とを順次取得して、ＥＥＰＲＯＭ１１に順次記憶させる（ステップＳ３６）。
【００６３】
図５は、このようにしてＥＥＰＲＯＭ１１に記憶された再生位置情報（再生位置アドレス）と静止画情報の状態を示している。再生位置アドレスは、テンポラリサーチバックキー１８ａが操作された時点で最初に取得された再生位置アドレス（「ａａａａａａ」）を先頭にして、取得順に例えば「ｂｂｂｂｂｂ」、「ｃｃｃｃｃｃ」、・・・といった具合に記憶されており、これらに対応付けて、その再生位置の静止画情報（静止画情報ａ、静止画情報ｂ、静止画情報ｃ、・・・）が記憶されている。
【００６４】
そして、このように所定時間ごとに再生位置情報と静止画情報とを順次取得している再生動作中において、所要を済ませて視聴場所に戻ってきたユーザが、表示装置２１に表示されている再生動作中の内容を確認した結果、再生内容が離れる前の状況から変わっている場合（具体的には、得点が入っている場合等）には、その時点でテンポラリサーチバックキー１８ａを再び操作する（ステップＳ３４でＹｅｓと判断される）。
【００６５】
システムコントローラ１０は、このキー入力操作信号を受け取ると、ＥＥＰＲＯＭ１１に記憶されている全静止画情報ａ，ｂ，ｃ，・・・を表示装置２１の画面に例えば一覧形式で表示する（ステップＳ３７）。これにより、ユーザは、画面に表示された全静止画情報ａ，ｂ，ｃ，・・・を見ながら、戻したい位置を決定することができる。
【００６６】
例えば、スポーツ中継の録画再生であれば、得点の入っている静止画情報を見つけ出すことができる。そして、その見つけた静止画情報の１つ前の静止画情報に、例えばリモコン１８に設けられている図示しない上下左右のカーソルキーを操作することによってカーソルを移動し、その状態で再びテンポラリサーチバックキー１８ａを操作する。
【００６７】
これにより、システムコントローラ１０は、このキー入力操作による静止画情報（例えば、静止画情報ｃ）の選択信号を受け取ると（ステップＳ３８でＹｅｓと判断されると）、その静止画情報に対応している再生位置アドレス「ｃｃｃｃｃｃ」に基づき、その再生位置に戻って、直ちに再生動作を再開する（ステップＳ３９）。
【００６８】
このように、ユーザは、簡単なキー操作で、視聴場所から離れている間に見逃した全シーンのうち、本当に見たいシーン（得点シーン）部分を確実に視聴することができる。
【００６９】
また、視聴場所に戻ってきたユーザが再生動作中の内容を確認した結果、再生内容が離れる前の状況から変わっていなかった場合（具体的には、得点が入っていなかった場合等）には、テンポラリサーチバックキー１８ａを操作することなく、そのまま視聴を継続すればよい。
【００７０】
この後、ユーザが、例えばリモコン１８の図示しない停止キーを操作して、再生動作を終了すると（ステップＳ４０、ステップＳ４１でＹｅｓと判断されると）、システムコントローラ１０は、ＥＥＰＲＯＭ１１に記憶していた再生位置情報と静止画情報とを全て消去して（ステップＳ２２）、再生動作を終了する。
【００７１】
なお、本実施例３では、静止画情報を一覧形式で表示しているが、一覧形式で表示した場合には、各静止画情報の表示画面が小さすぎて内容の確認が困難な場合もある。そのため、表示形式としては、このような一覧形式に限らず、最初に取得した静止画情報から順に、全画面表示で切り換えながら表示するようにしてもよい。この場合の切り換えキーは、リモコン１８に設けられている任意の機能キーを割り当てるようにすればよい。
【００７２】
また、上記実施例２、実施例３では、再生位置情報を取得する時間間隔である所定時間を固定値（上記各実施例では、５分）としているが、この所定時間は、ユーザによって任意に設定、変更可能としてもよい。
【００７３】
所定時間は、例えばデフォルト値として５分が設定されている場合に、再生している内容がドラマ等であった場合には、所定時間を例えば１分に変更しておけばよい。これにより、視聴場所を離れている間のストーリーの変化がより細かく確認し易くなり、戻したい再生位置がより探しやすくなる。
【００７４】
この場合の所定時間の設定方法としては、リモコン１８の図示しない機能キーを操作して、表示装置２１に時間設定画面を表示し、その画面に所望の時間を数値キーを利用して入力し、図示しない設定キーを操作することにより行う。このようにして設定された所定時間は、例えばＥＥＰＲＯＭ１１に時間設定領域を確保し、その時間設定領域に記憶する。そして、システムコントローラ１０は、テンポラリサーチバックキー１８ａが操作されて再生位置情報を取得するとき、このＥＥＰＲＯＭ１１の時間設定領域に記憶されている設定時間をタイマー回路１３に設定して、タイマー回路１３での所定時間の計測を行うようにすればよい。
【００７５】
また、設定時間の他の設定方法としては、ユーザが直接時間を入力するのではなく、例えばジャンル別（例えば、ドラマ、スポーツ、映画等の別）に最適な所定時間（例えば、ドラマでは１分、スポーツでは５分、映画では３０秒等）を予め用意し、その中からジャンルを選択することで、これに対応した最適な設定時間を自動的に設定できるようにしてもよい。このようなジャンルと設定時間との対応関係も、例えばＥＥＰＲＯＭ１１にジャンル別設定領域を確保し、そのジャンル別設定領域に記憶するようにすればよい。図７は、このようにしてＥＥＰＲＯＭ１１に記憶されたジャンルとこれに対応する設定時間の状態を示している。
【００７６】
これにより、ユーザは、いちいち所定時間を設定しなくても、再生する情報のジャンルを選択するだけで、そのジャンルに合った所定時間を自動的に設定することができる。
【００７７】
この場合の設定方法としては、リモコン１８の図示しない機能キーを操作して、表示装置２１に図７に示すようなジャンル別設定画面を表示し、図示しない上下のカーソルキーを操作することによって所望のジャンルにカーソルを移動し、その状態で図示しない設定キーを操作することにより行う。そして、システムコントローラ１０は、テンポラリサーチバックキー１８ａが操作されて再生位置情報を取得するとき、ジャンルから選択された設定時間をタイマー回路１３に設定して、タイマー回路１３での所定時間の計測を行うようにすればよい。
【００７８】
なお、ＥＥＰＲＯＭ１１に記憶された再生位置情報や静止画情報は、最初にテンポラリサーチバックキー１８ａが操作されてテンポラリサーチバック動作を開始した後、ある程度の時間（例えば、３０分等）が経過すると、自動的にＥＥＰＲＯＭ１１から消去されるようにしておく。すなわち、テンポラリサーチバックキー１８ａを押して視聴場所を離れたユーザが、再び戻ってきて再生内容を確認した結果、再生位置を戻す必要がないと判断した場合には、最初に記憶した再生位置情報はその時点で不要となる。そのため、このような不要な情報がいつまでもＥＥＰＲＯＭ１１に残らないように、例えば３０分が経過すると、その時点で不要な情報をＥＥＰＲＯＭ１１から自動的に消去するように構成しておく。これにより、不要になった情報をいちいちＥＥＰＲＯＭ１１から消去するといったユーザの手間を省くことができる。
【発明の効果】
本発明のディスク再生装置及びディスク再生方法によれば、ユーザが視聴場所を離れる場合も再生動作を継続し、戻ってきたときに、そのまま再生動作を継続するか、離れる直前に再生していた位置に戻って再生動作を再開させるかを容易に選択することができる。従って、ユーザは、簡単なキー操作で、視聴場所から離れている間に見逃した所望するシーンを確実に視聴することができる。また、再生動作中の内容を確認した結果、再生内容が離れる前の状況から変わっていなかった場合（例えば、スポーツの録画再生では、得点が入っていなかった場合等）には、そのまま視聴を継続すればよいので、視聴時間の無駄も省くことができる。
この場合、再生制御手段は、光ディスクの再生動作中にキー入力手段が操作されると、再生動作を継続しつつ、その操作時点での再生位置情報を再生位置情報記憶手段に記憶させるとともに、その後、所定時間が経過するたびにその時点での再生位置情報を順次取得して再生位置情報記憶手段に順次記憶させる。そして、このような再生動作中にキー入力手段が再度操作されると、再生位置情報記憶手段に記憶されている再生位置情報に基づき、最初に取得された再生位置から順番に、各再生位置において一定時間だけ順次再生を行うように構成してもよい。このように構成すると、ユーザが視聴場所に戻ってきたとき、離れる直前の再生位置に単に戻すだけでなく、その戻した再生位置から順に、所定時間経過した時点の再生位置の情報を一定時間だけ順次再生していくことにより、ユーザはその再生画面を見ながら、戻したい位置を決定することができる。例えば、スポーツ中継の録画再生であれば、所定時間ごとの再生画面を見ながら得点シーンを見つけ出し、その得点シーンの直前まで戻して再生を再開させることができる。
また、再生制御手段は、光ディスクの再生動作中にキー入力手段が操作されると、再生動作を継続しつつ、その操作時点での再生位置情報とその再生位置における静止画情報とを再生位置・静止画情報記憶手段に記憶させるとともに、その後、所定時間が経過するたびにその時点での再生位置情報とその再生位置における静止画情報とを順次取得して再生位置・静止画情報記憶手段に順次記憶させ、このような再生動作中にキー入力手段が再度操作されると、再生位置・静止画情報記憶手段に記憶されている全ての静止画情報を接続されている表示装置の画面に表示し、表示された静止画情報の中から任意の静止画情報が選択されると、その選択された静止画情報に対応する再生位置情報を再生位置・静止画情報記憶手段から取得し、その取得した再生位置に戻って通常再生を開始するように構成してもよい。このように構成すると、ユーザが視聴場所に戻ってきたとき、離れる直前の再生位置に単に戻すだけでなく、離れている間に所定時間間隔で取得した全ての静止画情報を表示することにより、ユーザはその静止画情報を見ながら、戻したい位置を決定することができる。例えば、スポーツ中継の録画再生であれば、全静止画情報を見ながら、表示されている得点が変化している静止画情報を見つけ出し、その静止画情報の再生位置の１つ前の再生位置まで戻して再生を再開させることができる。
この場合、所定時間をユーザが任意に設定できる設定手段をさらに備えていてもよい。これにより、視聴場所を離れている間のストーリーの変化がより確認し易くなり、戻したい再生位置がより探しやすくなる。
また、再生制御手段は、再生動作の開始前に選択手段により選択されたジャンルに対応する所定時間を所定時間記憶手段から読み出して内部に設定し、この設定した所定時間に基づいて再生位置情報の取得を行うように構成してもよい。これにより、ユーザは、いちいち所定時間を設定しなくても、再生する情報のジャンルを選択するだけで、そのジャンルに合った所定時間を自動的に設定することができる。
【図面の簡単な説明】
【図１】本発明のディスク再生装置のシステム構成を示すブロック図である。
【図２】実施例１のテンポラリサーチバック動作を説明するためのローチャートである。
【図３】実施例２に対応したＥＥＰＲＯＭのメモリ構成を示す説明図である。
【図４】実施例２のテンポラリサーチバック動作を説明するためのローチャートである。
【図５】実施例３に対応したＥＥＰＲＯＭのメモリ構成を示す説明図である。
【図６】実施例３のテンポラリサーチバック動作を説明するためのローチャートである。
【図７】ジャンルと設定時間との対応関係を示す説明図である。
【符号の説明】
１  光ディスク
２  スピンドルモータ
３  光ピックアップ
４  フィードモータ
５  ＲＦアンプ
６  ＤＲＡＭ（メモリバッファ）
７  ディジタル信号処理回路
８  レーザドライバ
９  サーボ処理回路
１０  システムコントローラ（再生制御手段）
１１  ＥＥＰＲＯＭ（再生位置情報記憶手段、再生位置・静止画情報記憶手段、所定時間記憶手段）
１２  Ｄ／Ａ変換回路
１３  タイマー回路
１４  受信部
１８  リモコン
１８ａ  テンポラリサーチバックキー（キー入力手段）
２１  表示装置
【図１】
2004171641.tif 000003
【図２】
2004171641.tif 000004
【図３】
2004171641.tif 000005
【図４】
2004171641.tif 000006
【図５】
2004171641.tif 000007
【図６】
2004171641.tif 000008
【図７】
2004171641.tif 000009